(57)【要約】【課題】各種電子機器に用いられるスイッチ装置に関し、簡易な構成で低背化が図れ、動作の確実なものを提供することを目的とする。【解決手段】配線基板１９に切欠部１９Ａを設けると共に、この切欠部１９Ａ内にスライドスイッチ１８のケース１１下面の段差部１１Ａを挿入保持することによって、スイッチ装置全体の低背化が図れると共に、レバー１４の操作方向に多少の力が加わった場合でも、端子１３のランド２０からの剥離やスイッチの位置ずれを防ぎ、確実な動作の可能なスイッチ装置を得ることができる。【選択図】図１
2008218357.tif 000002
【特許請求の範囲】
【請求項１】
レバーの所定方向へのスライド操作によって、ケース内のスイッチ接点が電気的接離を行うスライドスイッチと、上面に上記スライドスイッチから外方へ突出した端子が接続されるランドが形成された配線基板からなり、上記配線基板に切欠部を設けると共に、この切欠部内に上記ケース下面の段差部を装着したスイッチ装置。
【発明の詳細な説明】
【技術分野】
【０００１】
本発明は、主に各種電子機器の操作に用いられるスイッチ装置に関するものである。
【背景技術】
【０００２】
近年、携帯電話やパソコン等の各種電子機器の小型化や高機能化が進むなか、これらに用いられるスイッチ装置においても、小型薄型で動作の確実なものが求められている。
【０００３】
このような従来のスイッチ装置について、図５を用いて説明する。
【０００４】
図５は従来のスイッチ装置の斜視図であり、同図において、１はスライドスイッチで、絶縁樹脂製で上面開口の略箱形のケース２から、絶縁樹脂製のレバー３が前方へ突出すると共に、金属薄板製のカバー４がケース２上面を覆っている。
【０００５】
そして、ケース２内には複数の固定接点や可動接点（図示せず）が収納され、レバー３の左右方向へのスライド操作によって、これらのスイッチ接点が電気的接離を行うように形成されると共に、ケース２の下面左右からは複数の端子５が外方へ突出している。
【０００６】
また、６は上下面に複数の配線パターン（図示せず）が形成された配線基板で、この上面には複数のランド７が設けられると共に、このランド７にスライドスイッチ１の端子５が半田付け等によって実装接続され、配線基板６の前端に、レバー３を前方へ突出させたスライドスイッチ１が配置されて、スイッチ装置が構成されている。
【０００７】
そして、このように構成されたスイッチ装置が、電子機器の操作パネル（図示せず）の後方に、操作パネルからレバー３を突出させて装着されると共に、スライドスイッチ１の端子５が配線基板６の配線パターンや、これに接続されたコネクタやリード線（図示せず）等を介して、機器の電子回路（図示せず）に電気的に接続される。
【０００８】
以上の構成において、操作パネルから突出したレバー３を左または右方向へスライド操作すると、これによってケース２内のスイッチ接点の電気的接離が行われ、この電気信号が端子５から、配線パターン等を介して機器の電子回路に出力されて、機器の様々な機能の切換えが行われるように構成されている。
【０００９】
なお、上記のようなスライドスイッチ１は、他の操作方式のスイッチ、例えば、ドーム状の可動接点を用いたプッシュスイッチ等に比べ、レバー３を操作する力は１〜３Ｎ前後とほぼ類似であるが、操作量はプッシュスイッチが０．２〜０．５ｍｍ程度であるのに対し、２〜３ｍｍ前後と大きな操作量となっている。
【００１０】
このため、操作の際等に、レバー３に大きな力が加わると、この力がケース２に加わって端子５のランド７からの剥離が生じ、電気的接続が不安定なものとなってしまう場合や、スイッチの位置ずれが生じて、不確実な動作となってしまう場合がある。
【００１１】
また、ケース２内にばね等が収納され、左または右方向へ操作した後、手を離すと、このばねの弾性復帰力によってレバー３が元の状態に復帰する、いわゆるオートリターン方式のスライドスイッチにおいては、ばねによる衝撃が生じ、上記のような支障が生じる場合もある。
【００１２】
したがって、このようなスイッチ装置においては、スイッチ下方の配線基板６に貫通孔を設け、これにケース２下面から突出したリブを挿入することや、或いは、機器のシャーシに設けた切起部等を、スイッチ左右の側面に当接させることによって、スイッチの保持強度を高めることが行われているものであった。
【００１３】
なお、この出願の発明に関連する先行技術文献情報としては、例えば、特許文献１が知られている。
【特許文献１】特開２００１−２１０１７６号公報
【発明の開示】
【発明が解決しようとする課題】
【００１４】
しかしながら、上記従来のスイッチ装置においては、レバー３の操作方向に大きな力が加わった場合、電気的接続やスイッチ動作が不安定になってしまう場合があり、また、これを防ぐためにスイッチや装置の構成が、複雑なものとなってしまうという課題があった。
【００１５】
本発明は、このような従来の課題を解決するものであり、簡易な構成でスイッチの保持強度を高め、動作の確実なスイッチ装置を提供することを目的とする。
【課題を解決するための手段】
【００１６】
上記目的を達成するために本発明は、配線基板に切欠部を設けると共に、この切欠部内に、スライドスイッチのケース下面の段差部を装着してスイッチ装置を構成したものであり、配線基板の切欠部内にケースの段差部を挿入保持することによって、スイッチ装置全体の低背化が図れると共に、レバーの操作方向に多少の力が加わった場合でも、端子のランドからの剥離やスイッチの位置ずれを防ぎ、確実な動作の可能なスイッチ装置を得ることができるという作用を有するものである。
【発明の効果】
【００１７】
以上のように本発明によれば、簡易な構成で低背化が図れ、動作の確実なスイッチ装置を実現することができるという有利な効果が得られる。
【発明を実施するための最良の形態】
【００１８】
以下、本発明の実施の形態について、図１〜図４を用いて説明する。
【００１９】
（実施の形態）
図１は本発明の一実施の形態によるスイッチ装置の断面図、図２は同スライドスイッチの分解斜視図であり、同図において、１１は液晶ポリマーやポリフェニレンサルファイド等の絶縁樹脂製で上面開口の略箱形のケース、１２は銅合金等の導電金属薄板製の固定接点で、複数の固定接点１２がケース１１内底面にインサート成形等によって植設固定されている。
【００２０】
そして、固定接点１２と一体に形成され先端に上方への折曲部１３Ａが設けられた端子１３が、ケース１１の左右から外方へ突出すると共に、ケース１１下面には、上方の外形寸法よりも小さな段差部１１Ａが形成されている。
【００２１】
また、１４は液晶ポリマーやナイロン等の絶縁樹脂製のレバーで、ケース１１内に左右方向へ移動可能に収納されると共に、ケース１１前面から操作部１４Ａが前方へ突出している。
【００２２】
さらに、１５は銅合金等の弾性金属薄板製の可動接点で、中間部がレバー１４下面に固着されると共に、両端がやや撓んだ状態で、ケース１１内底面や固定接点１２に弾接して、スイッチ接点が形成されている。
【００２３】
そして、１６は銅線等のコイル状に巻回されたばねで、このばね１６がやや撓んだ状態で、ケース１１左内側壁とレバー１４左側面の間に装着されて、レバー１４を右方向へ付勢している。
【００２４】
さらに、１７は銅等の金属薄板製のカバーで、後方には下方へ突出する突起部１７Ａが形成されると共に、このカバー１７がケース１１上面の開口部を覆い、両端や前後面の折返部がケース１１両側面や前後面に係止されて、スライドスイッチ１８が構成されている。
【００２５】
また、図３はスイッチ装置の分解斜視図、図４は同斜視図であり、同図において、１９は紙フェノールやガラス入りエポキシ等の配線基板で、上下面には銅箔等によって複数の配線パターン（図示せず）が形成され、前端にはスライドスイッチ１８の段差部１１Ａとほぼ同じ、或いは僅かに大きな幅の切欠部１９Ａが設けられると共に、この切欠部１９Ａ外周上面には、銅箔等によって複数のランド２０や２０Ａが形成されている。
【００２６】
そして、この切欠部１９Ａ内にケース１１下面の段差部１１Ａが挿入され、ケース１１の左右から外方へ突出した端子１３が、半田付け等によって左右のランド２０に実装接続されると共に、カバー１７後方の突起部１７Ａがランド２０Ａに実装接続され、配線基板１９の前端にレバー１４を前方へ突出させたスライドスイッチ１８が配置されて、スイッチ装置が構成されている。
【００２７】
なお、この時、図１や図４に示すように、端子１３とランド２０は、上方への折曲部１３Ａとランド２０上面との間で半田等による接続が行われると共に、段差部１１Ａ上方のケース１１下面の平坦部１１Ｂが配線基板１９上面に当接し、段差部１１Ａは切欠部１９Ａ内に左右方向に圧入、或いは僅かな隙間を空けて挿入されている。
【００２８】
つまり、段差部１１Ａが切欠部１９Ａ内に挿入された分だけ、スライドスイッチ１８全体の高さが低くなり、スイッチ装置としての低背化が図られていると共に、レバー１４の操作方向である左右方向に対しては、段差部１１Ａの両側面が切欠部１９Ａ端面に密着、或いは僅かな隙間を空けて挿入保持された状態となっている。
【００２９】
そして、このように構成されたスイッチ装置が、電子機器の操作パネル（図示せず）の後方に、操作パネルからレバー１４の操作部１４Ａを突出させて装着されると共に、スライドスイッチ１８の端子１３が配線基板１９の配線パターンや、これに接続されたコネクタやリード線（図示せず）等を介して、機器の電子回路（図示せず）に電気的に接続される。
【００３０】
以上の構成において、操作パネルから突出した操作部１４Ａを左方向へスライド操作すると、レバー１４がばね１６を撓めながら左方向へ移動し、この下面に固着された可動接点１５がケース１１内底面を弾接摺動して、複数の固定接点１２に弾接することによって、スイッチ接点の電気的接離が行われ、この電気信号が端子１３から、配線パターン等を介して機器の電子回路に出力されて、機器の様々な機能の切換えが行われる。
【００３１】
また、左方向へスライド操作した状態で、操作部１４Ａから手を離し操作力を解除すると、ばね１６の弾性復帰力によって、レバー１４が右方向へ付勢されて、図１に示した元の状態に復帰するように構成されている。
【００３２】
なお、上記のようなスライドスイッチ１８は、レバー１４の操作力が１〜３Ｎ前後、操作量が２〜３ｍｍ前後に形成されており、また、操作した後、手を離すと、ばね１６によってレバー１４が元の状態に復帰する、いわゆるオートリターン方式となっている。
【００３３】
このため、操作の際等に、レバー１４に大きな力が加わった場合や、操作後手を離しレバー１４が元の状態に復帰して、ばね１６による衝撃が生じた場合等には、ケース１１にこの力や衝撃が加わるが、本発明においては、ケース１１の段差部１１Ａの操作方向である左右の側面が、配線基板１９の切欠部１９Ａ内に圧入、或いは僅かな隙間を空けて挿入保持されているため、このようなレバー１４の操作方向である左右方向の力が、端子１３とランド２０の接続部に加わらないようになっている。
【００３４】
つまり、段差部１１Ａの両側面が切欠部１９Ａ端面に密着している場合には、加わった力がケース１１から配線基板１９に直接伝わることによって、また、段差部１１Ａと切欠部１９Ａの間に僅かな隙間がある場合には、この隙間の分だけケース１１が移動した後、切欠部１９Ａに当接するが、この僅かな動きの分は折曲した端子１３が弾性変形して緩和することによって、端子１３とランド２０の半田付けされた接続部には、力や衝撃が加わらないように構成されている。
【００３５】
したがって、スイッチや装置の構成を複雑なものとすることなく、簡易な構成で、これらの力や衝撃による端子１３のランド２０からの剥離や、スイッチの位置ずれを防ぎ、レバー１４に多少の力が加わった場合でも、安定した電気的接続が得られ、確実な動作を行えるようになっている。
【００３６】
さらに、上述したように、カバー１７後方に突起部１７Ａを設け、これをランド２０Ａに半田付け等によって接続することで、スライドスイッチ１８の配線基板１９への保持強度をより高めることができると共に、突起部１７Ａの実装接続は端子１３と同時に行うことができるため、組立に時間を要することもない。
【００３７】
また、端子１３に上方への折曲部１３Ａを設け、この箇所でランド２０との半田付け等による接続を行うことによって、端子１３下面とランド２０上面に加え、折曲部１３Ａ外側面とランド２０上面の間にも半田が付着するため、端子１３とランド２０の接続強度自体を高めることが可能になる。
【００３８】
このように本実施の形態によれば、配線基板１９に切欠部１９Ａを設けると共に、この切欠部１９Ａ内にスライドスイッチ１８のケース１１下面の段差部１１Ａを挿入保持することによって、スイッチ装置全体の低背化が図れると共に、レバー１４の操作方向に多少の力が加わった場合でも、端子１３のランド２０からの剥離やスイッチの位置ずれを防ぎ、確実な動作の可能なスイッチ装置を得ることができるものである。
【産業上の利用可能性】
【００３９】
本発明によるスイッチ装置は、簡易な構成で低背化が図れ、動作の確実なものを得ることができ、主に各種電子機器の操作用として有用である。
【図面の簡単な説明】
【００４０】
【図１】本発明の一実施の形態によるスイッチ装置の断面図
【図２】同スライドスイッチの分解斜視図
【図３】同スイッチ装置の分解斜視図
【図４】同斜視図
【図５】従来のスイッチ装置の斜視図
【符号の説明】
【００４１】
１１  ケース
１１Ａ  段差部
１１Ｂ  平坦部
１２  固定接点
１３  端子
１３Ａ  折曲部
１４  レバー
１４Ａ  操作部
１５  可動接点
１６  ばね
１７  カバー
１７Ａ  突起部
１８  スライドスイッチ
１９  配線基板
１９Ａ  切欠部
２０、２０Ａ  ランド
【図１】
2008218357.tif 000003
【図２】
2008218357.tif 000004
【図３】
2008218357.tif 000005
【図４】
2008218357.tif 000006
【図５】
2008218357.tif 000007